(57)【特許請求の範囲】
【請求項１】
脚体と、この脚体により回転可能に支持された支持基部と、この支持基部の上方に配された座と、この座の裏面との間に荷物収容空間を形成すべく前記支持基部に装脱可能に装着された棚板とを具備してなり、
前記棚板が、その上面で荷物を装脱可能に支持するための荷物載置面の全部または一部を形成する棚板本体と、この棚板本体の下面に設けられ前記支持基部に着脱可能に外嵌される外嵌壁体とを備えたものであることを特徴とする回転椅子。
【請求項２】
前記棚板本体が、前記支持基部の上面に載置されるものである請求項１記載の回転椅子。
【請求項３】
前記荷物載置面が、平面視において前記支持基部の外縁よりも外側に位置する延出部を備えており、その延出部に埃排除手段が設けられている請求項２記載の回転椅子。
【請求項４】
前記外嵌壁体が、前記支持基部の外周面に重なり合う包持部と、前記支持基部の底面周縁部分に重なり合う抜止部とを備えたものである請求項１、２又は３記載の回転椅子。
【請求項５】
前記外嵌壁体が、前記包持部の外面を前記棚板本体の下面に接続するためのリブをさらに備えたものである請求項４記載の回転椅子。
【請求項６】
前記支持基部が、後方に向かって漸次幅狭となる平面視ほぼ三角形状をなすものであり、前記外嵌壁体が、後方から前記支持基部に装脱し得る形態をなしている請求項１、２、３、４または５記載の回転椅子。
【請求項７】
前記棚板本体が、前記支持基部の上面にほぼ面一となる上面を備えたものである請求項１記載の回転椅子。
【請求項８】
前記棚板本体が、前記支持基部の平面視形状に対応した切欠部を有したものである請求項１または７記載の回転椅子。
【請求項９】
前記外嵌壁体が、前記切欠部の縁に沿って形成された起立部と、この起立部に設けられ前記支持基部に係合して起立部の支持基部に対する上下動を防止する上下動防止部とを備えたものである請求項８記載の回転椅子。
【請求項１０】
前記上下動防止部が、前記支持基部に設けられた溝に係合する突条である請求項９記載の回転椅子。
【請求項１１】
前記上下動防止部が、前記支持基部に設けられた突条に係合する溝である請求項９記載の回転椅子。
【請求項１２】
前記外嵌壁体が、前記起立部の外周面を前記棚板本体に結合するためのリブを備えたものである請求項９、１０または１１記載の回転椅子。
【発明の詳細な説明】
【技術分野】
【０００１】
本発明は、オフィス等において好適に使用される回転椅子に関する。
【背景技術】
【０００２】
従来から、着座者の左右方向の動きに好適に追従することが可能な回転椅子が知られている。このような回転椅子は、例えばオフィス等において好適に使用されるものであるが、当該回転椅子を使用する執務者は、執務上必要な書籍や印刷物等の資料類やパソコン等の事務機器類の他、かばん等の身の回り品などの種々の荷物を持っているため、それらの置き場所をできるだけ確保したいという要望をもっている。ところが、従来の回転椅子は前述したような荷物を収容するようなスペースは一切備えていない（例えば、特許文献１参照）。そのため、従来では、これらの荷物は机の天板上に置いたり、別途ワゴン等に載置又は収容したり、あるいはフロア上に直接置くなどして対応していることがほとんどであった。しかしながら、机の天板上に荷物を置けば執務者の作業エリアが狭まって作業効率が悪くなるおそれがあり、ワゴン等を使用する場合には着座中の執務者と荷物との間が離れてしまうことがあり、荷物へのアクセスが悪く利便性に欠ける場合がある。また、荷物をフロア上に直接置く場合には、荷物を椅子や足などで転倒させてしまったり踏んでしまったりする等の不具合が生じていた。
【０００３】
特に近時においては、執務者が特定の自席を有さず、大型のテーブル等の適宜の位置でその都度作業を行うという、いわゆるフリーアドレス型のオフィス形態が普及しているところであるが、かかるフリーアドレス型のオフィス形態では、執務者の荷物を置く場所が制限されてしまう場合が多い。かかる事情から、回転椅子に着座する執務者のできるだけ近い位置に執務者の作業に支障が生じない状態で荷物を確保することができるとともにその荷物を容易に取り扱うことができるための対策が望まれていた。
【０００４】
このような要望に応えるには、回転椅子の座の裏面とこの座面の下方に位置する支持基部との間に荷物収容空間を形成するための棚板を設け、前記回転椅子に荷物収納機能を持たせることが考えられる。ところが、同じ基本構造を有する回転椅子であっても、荷物収納機能が要求される部署に配置されるものもあれば、そのような機能が要求されない部署に配置されるものがある。そのため、回転椅子に棚板を常設させたものであると荷物収納機能が要求されない部署で使用される場合には、過剰な品質のものとなってしまうという不具合が生じる。また、回転椅子に棚板を常設させたものであると、掃除や修理等のメンテナンス作業を要する際に所望の箇所へアクセスしづらいという不具合が考えられる。
【先行技術文献】
【特許文献】
【０００５】
【特許文献１】特開２００３−３３４１２５号公報
【発明の概要】
【発明が解決しようとする課題】
【０００６】
本発明は、以上のような事情に着目してなされたもので、荷物の配置に困るという課題を過剰品質を招くことなく解消することができるとともに、メンテナンス性を損ねることなく荷物を収容する機能を備えた回転椅子を提供することを目的としている。
【課題を解決するための手段】
【０００７】
すなわち、本発明の回転椅子は、脚体と、この脚体により回転可能に支持された支持基部と、この支持基部の上方に配された座と、この座の裏面との間に荷物収容空間を形成すべく前記支持基部に装脱可能に装着された棚板とを具備してなることを特徴とする。
【０００８】
このようなものであれば、前記座の裏面との間に荷物収容空間を形成すべく前記支持基部に装脱可能に装着された棚板を備えているものであるため、回転椅子に荷物の収納機能を付与することができる。しかも、前記棚板は前記支持基部に装脱可能に装着されるものであるため、利用の要求がある部署等に限定して棚板を手配することができ不経済を好適に抑制することができ、また、前記棚板を装着された回転椅子と前記棚板の装着されていない回転椅子とがある場合には、利用者の要求に対応して回転椅子自体を取り換えることなく、棚板を装着するものと棚板を装着していないものとを棚板の取り外し又は取り付けにより切り替えることができるものとなる。しかも、掃除や修理等のメンテナンス作業をする際は棚板を取り外すことができるため、回転椅子に荷物の収納機能を付与したものであっても座の下方空間等の所望箇所に容易にアクセスすることができ、便宜なものとなる。
【０００９】
前記棚板が、その上面で荷物を装脱可能に支持するための荷物載置面の全部または一部を形成する棚板本体と、この棚板本体の下面に設けられ前記支持基部に着脱可能に外嵌される外嵌壁体とを備えたものである。また、その場合には、前記棚板本体が、前記支持基部の上面に載置されるものであると好ましい。さらに、前記荷物載置面が、平面視において前記支持基部の外縁よりも外側に位置する延出部を備えており、その延出部に埃排除手段が設けられているものであれば、埃が溜まるのを好適に抑制することができるものとなる。
【００１０】
前記外嵌壁体のより好ましい形態としては、前記外嵌壁体が、前記支持基部の外周面に重なり合う包持部と、前記支持基部の底面周縁部分に重なり合う抜止部とを備えたものを挙げることができる。また、より具体的なものとしては、前記外嵌壁体が、前記包持部の外面を前記棚板本体の下面に接続するためのリブをさらに備えたものを挙げることができる。
【００１１】
本発明に係る棚板はいずれの方向からも装脱できるものであってもよいが、より好ましいものとしては、前記支持基部が、後方に向かって漸次幅狭となる平面視ほぼ三角形状をなすものであり、前記外嵌壁体が、後方から前記支持基部に装脱し得る形態をなしているものが挙げられる。
【００１２】
本発明の棚板の他の形態としては、前記棚板本体が、前記支持基部の上面にほぼ面一となる上面を備えたものを挙げることができる。このようなものにおいては、前記棚板本体が、前記支持基部の平面視形状に対応した切欠部を有したものであるものが合理的である。かかる構成における前記外嵌壁体の具体的なものとしては、前記外嵌壁体が、前記切欠部の縁に沿って形成された起立部と、この起立部に設けられ前記支持基部に係合して起立部の支持基部に対する上下動を防止する上下動防止部とを備えたものを挙げることができる。また、前記上下動防止部としては、前記上下動防止部が、前記支持基部に設けられた溝に係合する突条であるものや、前記上下動防止部が、前記支持基部に設けられた突条に係合する溝であるものが好ましい。
【００１３】
棚板の強度の向上に資するものしては、前記外嵌壁体が、前記起立部の外周面を前記棚板本体に結合するためのリブを備えたものを挙げることができる。
【発明の効果】
【００１４】
以上説明したように本発明によれば、荷物の配置に困るという課題を過剰品質を招くことなく解消することができるとともに、メンテナンス性を損ねることなく荷物を収容する機能を備えた回転椅子を提供することができる。
【図面の簡単な説明】
【００１５】
【図１】本発明の一実施形態を示す全体斜視図。
【図２】同実施形態の前面側を一部省略して示す斜視図。
【図３】同実施形態の前面側を一部省略して示す分解斜視図。
【図４】同実施形態の背面側を一部省略して示す斜視図。
【図５】同実施形態の背面側を一部省略して示す分解斜視図。
【図６】同実施形態を張地の片半部及び脚体を省略して示す正面図。
【図７】同実施形態を張地の片半部及び脚体を省略して示す平面図。
【図８】同実施形態を一部省略して示す右側面図。
【図９】図７におけるＡ−Ａ線端面図。
【図１０】図７におけるＢ−Ｂ線端面図。
【図１１】同実施形態の張地の張設前状態を示した背面図。
【図１２】図１１におけるＣ−Ｃ線拡大端面図。
【図１３】図１１におけるＤ−Ｄ線拡大端面図。
【図１４】図８におけるＥ−Ｅ線拡大端面図。
【図１５】他の実施形態における支持基部と棚板を示す概略斜視図。
【図１６】図１５におけるＦ−Ｆ線拡大断面図。
【発明を実施するための形態】
【００１６】
以下、本発明を事務用回転椅子に適用した場合の一実施形態について図１ないし図１４を参照して説明する。
【００１７】
この椅子は、図１に示すように、脚体１と、この脚体１により回転可能に支持された支持基部３と、この支持基部３に支持された座５及び背凭れ７とを具備してなる。
【００１８】
脚体１は、図１に示すように、キャスタ９を有した脚羽根タイプの脚ベース１１と、この脚ベース１１の中心部に立設した脚支柱１３とを具備してなる。前記脚支柱１３は、ガススプリングを主体に構成された通常のもので、この脚支柱１３の上端部に前記支持基部３が取り付けられている。
【００１９】
支持基部３は、図３ないし図８に示すように、後方に向かって漸次幅狭となる平面視ほぼ三角形状をなすものであり、前記脚支柱１３の上端部に取り付けられる底壁３ａと、この底壁３ａの周縁に設けられた周壁３ｂと、この周壁３ｂの上端に蓋着された天壁３ｃとを具備してなる。この支持基部３には、前記脚体１のガススプリングを制御するための操作レバー３ｄが設けられている。
【００２０】
座５は、図１、図３、図６ないし図８に示すように、左右対をなす座フレーム１５と、これら両座フレーム１５間に張設された可撓性のある座張地１７と、この座張地１７との間に空間１９を形成しつつ前記両座フレーム１５の前端部１５ｂ間に介設されその介設状態で前記座張地１７に張力を付与する前横梁２１とを具備してなる。
【００２１】
背凭れ７は、図１、図３、図６ないし図８に示すように、左右対をなす背フレーム２３と、これら両背フレーム２３間に張設された可撓性のある背張地２５と、この背張地２５との間に空間２７を形成しつつ前記両背フレーム２３の上部２３ａ間に介設されその介設状態で前記背張地２５に張力を付与する上横梁２９と、前記背張地２５との間に空間３１を形成しつつ前記両背フレーム２３の下部２３ｂ間に介設されその介設状態で前記背張地２５に張力を付与する下横梁３３とを具備してなる。
【００２２】
前記座フレーム１５と前記背フレーム２３とは、図１ないし図８に示すように、連続したものであり（連続した座フレーム１５と背フレーム２３とを「フレームＦ」と総称する場合がある）、前記座５と背凭れ７とが一体となるように構成されている。すなわち、左の座フレーム１５と左の背フレーム２３、及び右の座フレーム１５と右の背フレーム２３とはそれぞれ一本の連続した金属素材を一体に成形することにより一体に構成されている。
【００２３】
前記左のフレームＦ及び右のフレームＦの各外側面Ｆａには、図８ないし図１０に示すように、前記座張地１７及び前記背張地２５を取り付けるための取付溝３５が形成されている。これらの取付溝３５は、前記各フレームＦの裏面Ｆｂよりも表面Ｆｃに近い位置に配されている。ここで、裏面Ｆｂとは、座フレーム１５の場合には下面を意味し、背フレーム２３の場合には背面を意味する。また、表面Ｆｃとは、座フレーム１５の場合には上面を意味し、背フレーム２３の場合には前面を意味する。
【００２４】
前記座張地１７及び前記背張地２５（以下、「張地Ｍ」と総称する場合がある）は、図１、図３、図６ないし図８、及び図１１ないし図１３に示すように、合成樹脂製の糸を織成または編成してなるメッシュ状の張地素材を所定形状に裁断することにより一体に構成されており、着座面である表面Ｍａ側から裏面Ｍｂ側に存在するものを視認することができるような透光性を備えている。
【００２５】
この張地Ｍの左右両縁部Ｍｃには、図１１及び図１３に示すように、帯状をなす剛性のある押し込み材３７が設けられている。この押し込み材３７は、前記張地Ｍの縁部Ｍｃに沿って連続して設けられたものであり、前記張地Ｍの縁部Ｍｃの一面側、すなわち裏面Ｍｂ側に縫製等により添着されている。また、この押し込み材３７は、合成樹脂等により作られたもので、前記取付溝３５に挿入可能な厚み寸法Ｔ１を有するとともに、前記取付溝３５の奥行寸法の開口寸法よりも大きな幅寸法Ｗ１を有したものである。
【００２６】
そして、図１３に示すように、この張地Ｍの各縁部Ｍｃを前記押し込み材３７とともに前記フレームＦの外面Ｆａ側に設けられた取付溝３５に反転させて挿入することにより、当該張地Ｍを左右のフレームＦ間に張設している。この状態で、左右のフレームＦ間に前横梁２１、上横梁２９及び下横梁３３を介在させることによって前記張地Ｍに張力が付与される。このようにして張力を付与された張地Ｍは、左右のフレームＦの形状に沿った形態となる。すなわち、左右の背フレーム２３は、下端の近傍に着座者の腰形状に対応して前方に突出する突出部２３ｃを有したものであり、前記背張地２５が下横梁３３により張力を付与されることにより前記突出部２３ｃに対応した突出形状をなすように張設されている。
【００２７】
また、前記張地Ｍの左右のフレームＦに支持されていない縁部Ｍｄ、Ｍｅは、図３、図１１及び図１２に示すように、袋状のものであり、その縁部Ｍｄ、Ｍｅ内に透明な芯材３９が内蔵されている。具体的には、前記座５の前縁に位置する張地Ｍ（座張地１７）の縁部Ｍｄ及び前記背凭れ７の上縁に位置する張地Ｍ（背張地２５）の縁部Ｍｅに芯材３９がそれぞれ設けられている。これらの芯材３９は、それぞれ透明なシート材を一定長さの帯状に裁断してなるもので、これら各芯材３９の両端部３９ａと前記押し込み材３７との間には芯材３９が存在しない可撓変形部４１を形成してなる。
【００２８】
前記前横梁２１は、図３ないし図６に示すように、中間に略平坦な平坦部２１ａを有した正面視Ｕ字形をなしており、その左右両端部２１ｂに左右の座フレーム１５の内側面１５ａにそれぞれ直接的に密接する対をなす取付壁４５を備えている。そして、これら各取付壁４５をそれぞれ複数の止着具たるボルト４７を用いて対応する座フレーム１５に止着している。具体的には、この取付壁４５に貫通させた２本のボルト４７を前記座フレーム１５に埋設したナット４９に締着することにより、この取付壁４５を前記座フレーム１５に固定している。なお、前横梁２１の両端部２１ｂには、前記各取付壁４５と協働して座フレーム１５を挟持する外装壁５１をそれぞれ備えている。前記取付壁４５は、前記座フレーム１５に沿って延びる形状をなしており、前記取付壁４５と前記外装壁５１とによって構成される嵌合部５３が、座フレーム１５に沿って延びる前後に長い形態をなしている。しかして、前記取付壁４５は、その厚み寸法Ｔ２よりも座フレーム１５に沿う方向の長手寸法Ｌ２が大きくなるように設定されている。
【００２９】
前記上横梁２９は、図２ないし図７及び図１０に示すように、その中央部２９ａが後方に突出するように湾曲したものであり、その左右両端部２９ｂに左右の背フレーム２３の内側面２３ｄにそれぞれ直接的に密接する対をなす取付壁５５を備えている。そして、これら各取付壁５５をそれぞれ複数の止着具たるボルト５７を用いて対応する背フレーム２３に止着している。具体的には、この取付壁５５に貫通させた２本のボルト５７を前記背フレーム２３に埋設したナット５９に締着することにより、この取付壁５５を前記背フレーム２３に固定している。なお、上横梁２９の両端部２９ｂには、前記各取付壁５５と協働して背フレーム２３を挟持する外装壁６１をそれぞれ備えている。前記取付壁５５は、前記背フレーム２３に沿って延びる形状をなしており、前記取付壁５５と前記外装壁６１とによって構成される嵌合部６３が、背フレーム２３に沿って延びる上下に長い形態をなしている。しかして、前記取付壁５５は、その厚み寸法Ｔ３よりも背フレーム２３に沿う方向の長手寸法Ｌ３が大きくなるように設定されている。
【００３０】
前記下横梁３３は、図２ないし図７及び図９に示すように、着座者の腰形状に対応して前方に突出する背フレーム２３の突出部２３ｃの近傍同士を結合するものであって、その左右方向の中央部３３ａが後方に突出するように湾曲しており、その左右両端部３３ｂに左右の背フレーム２３の内側面２３ｄにそれぞれ直接的に密接する対をなす取付壁６５を備えている。そして、これら各取付壁６５をそれぞれ複数の止着具たるボルト６７を用いて対応する背フレーム２３に止着している。具体的には、この取付壁６５に貫通させた２本のボルト６７を前記背フレーム２３に埋設したナット６９に締着することにより、この取付壁６５を前記背フレーム２３に固定している。なお、下横梁３３の両端部３３ｂには、前記各取付壁６５と協働して背フレーム２３を挟持する外装壁７１をそれぞれ備えている。前記取付壁６５は、前記背フレーム２３に沿って延びる形状をなしており、前記取付壁６５と前記外装壁７１とによって構成される嵌合部７３が、背フレーム２３に沿って延びる上下に長い形態をなしている。しかして、前記取付壁６５は、その厚み寸法Ｔ４よりも背フレーム２３に沿う方向の長手寸法Ｌ４が大きくなるように設定されている。
【００３１】
このようにしてなる本実施形態にかかる椅子は、図２及び図８に示すように、座５と背凭れ７とが一体に構成されており、これら座５及び背凭れ７が前記支持基部３に一体に設けられた前横梁２１によって片持ち支持されている。そして、この支持基部３と前記座５との間に荷物載置面７５が設けられ、その荷物載置面７５と前記座５の裏面５ａとの間に荷物Ｂ１を出し入れ自在に収容するための荷物収容空間７７が形成されている。
【００３２】
前記荷物載置面７５は、図２及び図３に示すように、平面視においてその外縁７５ａの一部が前記支持基部３の外縁３ｅよりも外側に位置する延出部７９を備えており、その延出部７９に埃排除手段８１が設けられている。すなわち、この実施形態における荷物載置面７５は、前横梁２１の平坦部２１ａの上面２１ｃと支持基部３の上に着脱可能、装脱可能に装着された棚板８３の上面８３ａにより形成されている。換言すれば、前記支持基部３の上面３ｆを覆い隠すようにして前記棚板８３が設けられており、その棚板８３に前記荷物載置面７５の主要部、すなわち荷物載置面７５の一部が形成されている。
【００３３】
前記棚板８３は、図２ないし図８に示すように、その上面８３ａで荷物Ｂ１を装脱可能に支持するための荷物載置面７５の一部を形成する棚板本体８５と、この棚板本体８５の下面に設けられ前記支持基部３に着脱可能に外嵌される外嵌壁体８７とを備えている。
【００３４】
前記棚板本体８５は、前記支持基部３の上面３ｆに載置されるものであって、平面視において支持基部３よりも大きな面積を有しており、前記支持基部３よりも外側に位置する部位に前記埃排除手段８１を構成する複数の貫通孔８９が設けられている。この棚板本体８５は、平面視においてＡ４版サイズよりも大きな面積を有したもので、その左右両側縁部８５ａに荷物Ｂ１の落下を防止するための湾曲部８５ｂを備えている。この棚板本体８５は、その中央部を前記脚支柱１３の軸心である支持基部３の回転中心Ｏにほぼ一致させて配設されており、前記荷物載置面７５が前記支持基部３の回転中心Ｏを含む位置に形成されるようにしている。
【００３５】
前記外嵌壁体８７は、前記支持基部３の外周面３ｇに重なり合う包持部８７ａと、前記支持基部３の底面周縁部分３ｈに重なり合う抜止部８７ｂとを備えてなるもので、前記支持基部３に後方から装脱し得るようにその前面が開放されている。また、前記外嵌壁体８７は、前記包持部８７ａの外面を前記棚板本体８５の下面に接続するためのリブ８７ｃを備えている。
【００３６】
また、この実施形態にかかる椅子は、図１に示すように、肘掛け８９を有している。この肘掛け８９は、図３ないし図５、図８、図１４に示すように、前記下横梁３３の外装壁７１と一体に連続形成されたものであり、前記下横梁３３の外面３３ｃと前記肘掛け８９の外面８９ａとが滑らかに一体化されている。この肘掛け８９は、前記背凭れ７から前方に延出させて設けられたものであり、前記背凭れ７に支持された肘掛け本体９１と、この肘掛け本体９１上に設けられた肘当てパット９３とを具備してなる。
【００３７】
前記肘掛け本体９１は、前記下横梁３３に一体に設けられた肘支柱９５と、この肘支柱９５の先端部に設けられた肘フレーム９７とからなり、この肘フレーム９７上に前記肘当てパット９３を装着している。具体的には、前記肘フレーム９７が、その上面に前後対をなす取付部９７ａを有した硬質の下枠部９７ｂと、この下枠部９７ｂの取付部９７ａに前後両端部を取付けた硬質の上枠部９７ｃとからなるもので、この下枠部９７ｂと上枠部９７ｃとで剛性を有したループ形状を形成している。換言すれば、この下枠部９７ｂと前記上枠部９７ｃとで窓部９９が形成される。そして、上枠部９７ｃの上に軟質の肘当てパット９３を設けている。そして、この窓部９９の開口縁９９ａに平面視において肘当てパット９３の外縁９３ａからはみ出さない状態でかばんその他の荷物Ｂ２を掛けるためのフック１０１を設けている。すなわち、このフック１０１は、前記肘フレーム９７の窓部９９に一体に形成されている。換言すれば、このフック１０１は、前記窓部９９の開口縁９９ａの下辺部分９９ｂを変形させることにより形成されたものである。
【００３８】
また、この実施形態にかかる椅子は、図２ないし図６に示すように、衣類を掛けるためのハンガー１０３を備えている。このハンガー１０３は、前記上横梁２９の下辺２９ｃに懸吊姿勢で一体的に設けられたものであり、衣類を掛けるためのハンガー本体１０５と、このハンガー本体１０５を前記上横梁２９との間に隙間１０７を維持した状態で前記上横梁２９に懸吊支持させる懸吊部材１０９とを具備してなる。
【００３９】
以上説明したように本実施形態に係る構成のものであれば、荷物の配置に困るという課題を過剰品質を招くことなく解消することができるとともに、メンテナンス性を損ねることなく荷物を収容する機能を備えた利便性に富んだ回転椅子を実現することができる。
【００４０】
なお、本発明は、以上に詳述した実施形態に限られるものではない。
【００４１】
前記実施形態では棚板を支持基部上に配置しその棚板の上面で荷物載置面の主要部を構成する場合について説明したが、支持基部の上面とこの支持基部に取り付けられた棚板の上面とによって荷物載置面の全部又は主要部を構成するようにしてもよい。
【００４２】
ここで、図１５及び図１６は、他の実施形態である支持基部とこの支持基部に取り付けられる棚板とを概略的に示したものであり、図１から図１４に示す実施形態と同一又は相当する部分には同一の符号を付して説明を省略する。すなわち、図１５及び図１６は、後方に向かって漸次幅狭となる平面視略三角形状をなす支持基部３と、この支持基部３に取り付けられるとともに前記支持基部３の上面３ｆにほぼ面一となる上面８３ａを有した棚板８３とを示している。
【００４３】
この棚板８３は、上面８３ａで荷物Ｂ１を装脱可能に支持するための荷物載置面７５の一部を形成する棚板本体８５を備えている。また、棚板本体８５は、支持基部３の平面視形状に対応した切欠部８６を有したものであり、前記切欠部８６に連続して前記支持基部３の側面側に着脱可能に外嵌される外嵌壁体８７を備えている。外嵌壁体８７は前記切欠部８６の縁に沿って形成された起立部８８と、この起立部８８に設けられ前記支持基部３に係合して起立部８８の支持基部３に対する上下動を防止する上下動防止部Ｒとを備えたものである。具体的に、図１６に示す前記上下動防止部Ｒは、前記支持基部３の周壁３ｂに設けられた溝３ｉに係合する突条ｒ１としている。なお、前記上下動防止部Ｒは、前記支持基部に設けられた突条に係合する溝であってもよい。また、前記外嵌壁体８７が前記起立部８８の外周面を前記棚板本体８５に係合するためのリブ８７ｃを備えたものとしている。なお、図１５及び図１６に示す他の実施形態においても、先の実施形態において示した埃排除手段８１や湾曲部８５ｂ等の構成を適宜適用することができるのはもちろんのことである。
【００４４】
なお、その他の変形例としては、前記切欠部８６の内周に、支持基部３の周壁３ｂに設けられた溝３ｉに対応する突条を形成させることにより外嵌壁体の無いものにした態様が考えられる。
【００４７】
また、棚板本体の湾曲部は、左右両側縁部のみならず、必要に応じて前後側の縁部に備えたものとしても良い。また、埃排除手段は、貫通孔の他にも種々のものを適用することができるのはもちろんのことである。なお、本実施形態のように貫通孔により埃排除手段を形成したものは、埃の蓄積を防ぐとともに棚板を軽量化させる機能をも付与するものである。
【００４８】
前述した実施形態においては、座に背凭れを一体に設けた回転椅子であってその座の全縁部のみを前横梁を介して片持ち支持したものについて説明したが、座の支持基部に対する支持構造についてはこのようなものに限られるものではなく、たとえば座の前後を梁やアーム等を介して支持基部に支持させるようにしてもよい。また、本発明は座に背凭れを一体に連接したものに限定されないのはもちろんであり、例えば背凭れを有しないものあるいは背凭れを座と別体に設けたものなどにも同様に本発明を適用することができる。
【００４９】
図１〜図１４に示す実施形態では、荷物収容空間を前後左右に開放しているものであったが荷物収容空間は少なくとも荷物の出し入れが可能な態様でいずれかの方向に開放されていればよい。例えば、前方側、後方側又は左右側を閉塞したものなどの種々の態様が考えられる。
【００５０】
その他、各部の具体的構成についても上記実施形態に限られるものではなく、本発明の趣旨を逸脱しない範囲で種々変形が可能である。
【符号の説明】
【００５１】
１…脚体
３…支持基部
３ｆ…支持基部の上面
３ｈ…底面周縁部分
５…座
７５…荷物載置面
７７…荷物収容空間
７９…延出部
８１…埃排除手段
８３…棚板
８３ａ…上面
８５…棚板本体
８７…外嵌壁体
８７ａ…包持部
８７ｂ…抜止部
Ｂ１…荷物
【図１】
0005472978.tif 000002
【図２】
0005472978.tif 000003
【図３】
0005472978.tif 000004
【図４】
0005472978.tif 000005
【図５】
0005472978.tif 000006
【図６】
0005472978.tif 000007
【図７】
0005472978.tif 000008
【図８】
0005472978.tif 000009
【図９】
0005472978.tif 000010
【図１０】
0005472978.tif 000011
【図１１】
0005472978.tif 000012
【図１２】
0005472978.tif 000013
【図１３】
0005472978.tif 000014
【図１４】
0005472978.tif 000015
【図１５】
0005472978.tif 000016
【図１６】
0005472978.tif 000017